(57)【特許請求の範囲】
【請求項１】
目地部を介して建てられた左右の建物等の一方の建物の壁躯体に取付けられた該目地部のほぼ半分を覆う支持床と、この支持床の床面にスライド移動可能に取付けられた前記目地部を覆うことができる可動目地プレートと、この可動目地プレートを覆うように、前記支持床の反目地部側部位で後端部が上下移動可能に支持された可動側目地プレートと、この可動側目地プレートの遊端部を先端部が当接あるいはわずかな隙間を有して支持することができるように、前記左右の建物等の他方の建物の壁躯体に設けられた固定側目地プレートと、前記左右の建物が地震等によって前記目地部が狭くなるように揺れ動いた場合に、前記可動側目地プレートの遊端部を自動的に押し上げ移動させる移動機構と、前記目地部が狭くなった場合には、前記可動目地プレートと固定側目地プレートとの係合状態を解除し、該目地部が広くなった場合には、該可動目地プレートを係合状態で該目地部を覆うように引き出すと同時に、該固定側目地プレートとの先端部寄りの部位で支持することができる係合機構とからなることを特徴とする目地カバー装置。
【請求項２】
目地部を介して建てられた左右の建物等の一方の建物の壁躯体に取付けられた該目地部のほぼ半分を覆う支持床と、この支持床の床面にスライド移動可能に取付けられた前記目地部を覆うことができる可動目地プレートと、この可動目地プレートを覆うように、前記支持床の反目地部側部位で後端部が上下移動可能に支持された可動側目地プレートと、この可動側目地プレートの遊端部を先端部が当接あるいはわずかな隙間を有して支持することができるように、前記左右の建物等の他方の建物の壁躯体に設けられた固定側目地プレートと、前記左右の建物等が地震等によって前記目地部が狭くなるように揺れ動いた場合に、前記固定側目地プレートの先端部に当接して前記可動側目地プレートの遊端部を自動的に押し上げ、移動させることができる対向する傾斜面、あるいは一方が傾斜面で他方が該傾斜面を押上げ、移動させる押上げ片を用いた移動機構と、前記目地部が狭くなった場合には、前記可動目地プレートと固定側目地プレートとの係合状態を解除し、該目地部が広くなった場合には、該可動目地プレートを係合状態で該目地部を覆うように引き出すと同時に、該固定側目地プレートとの先端部寄りの部位で支持することができる係合機構とからなることを特徴とする目地カバー装置。
【請求項３】
目地部を介して建てられた左右の建物等の一方の建物の壁あるいは床躯体に取付けられた該目地部のほぼ半分を覆う一方の支持床および該左右の建物等の他方の建物の壁あるいは床躯体に取付けられた該目地部のほぼ半分を覆う他方の支持床と、この一方および他方の支持床の床面にスライド移動可能に取付けられた前記目地部を覆うことができる可動目地プレートと、この可動目地プレートを覆うように、前記左右の建物等の一方の建物の壁あるいは床躯体に固定的に取付けられた固定側目地プレートと、この固定側目地プレートの先端部が遊端部を当接あるいは隙間を有して支持することができるように、前記左右の建物等の他方の建物の壁あるいは床躯体に後端部が上下移動可能に支持された可動側目地プレートと、前記左右の建物等が地震等によって前記目地部が狭くなるように揺れ動いた場合に、前記固定側目地プレートの先端部に当接して前記可動側目地プレートの遊端部を自動的に押し上げ、移動させることができる対向する傾斜面、あるいは一方が傾斜面で他方が該傾斜面を押上げ、移動させる押上げ片を用いた移動機構と、前記可動目地プレートを常時支持することができるとともに、前記目地部が広くなった場合には、該可動目地プレートを前記固定側目地プレートとの先端部寄りの部位で係合状態で該目地部を覆うように引き出すことができる係合機構とからなることを特徴とする目地カバー装置。
【発明の詳細な説明】
【０００１】
【発明の属する技術分野】
本発明は目地部を介して建てられた左右の建物等の壁間あるいは建物等の壁と床の間の目地部を覆う目地カバー装置に関する。
【０００２】
【従来の技術】
従来の目地カバー装置は地震等によって左右の建物が異なる左右方向に揺れ動いた場合に、その揺れ動きを吸収できるような構造になっている。
【０００３】
【発明が解決しようとする課題】
最近、免震ビルや吊り床構造の建物が増加し、これらの建物は地震等によって揺れ動く場合、その揺れ動き寸法は大きく、かつ異なる前後方向はもちろんのこと、異なる上下方向にも揺れ動き、従来の構造ではこれらの揺れ動きに追従できないという欠点があった。
【０００４】
本発明は以上のような従来の欠点に鑑み、段差のない状態で左右の建物等の狭い壁間あるいは建物等の壁と床の間の目地部を通路として覆うことができるとともに、左右の建物が地震等によって異なる前後左右方向に揺れ動いても、その揺れ動きに追従して、損傷することなく目地部を確実に覆うことができる目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物等の一方の建物の壁躯体に取付けられた該目地部のほぼ半分を覆う支持床と、この支持床の床面にスライド移動可能に取付けられた前記目地部を覆うことができる可動目地プレートと、この可動目地プレートを覆うように、前記支持床の反目地部側部位で後端部が上下移動可能に支持された可動側目地プレートと、この可動側目地プレートの遊端部を先端部が当接あるいはわずかな隙間を有して支持することができるように、前記左右の建物等の他方の建物の壁躯体に設けられた固定側目地プレートと、前記左右の建物が地震等によって前記目地部が狭くなるように揺れ動いた場合に、前記可動側目地プレートの遊端部を自動的に押し上げ移動させる移動機構と、前記目地部が狭くなった場合には、前記可動目地プレートと固定側目地プレートとの係合状態を解除し、該目地部が広くなった場合には、該可動目地プレートを係合状態で該目地部を覆うように引き出すと同時に、該固定側目地プレートとの先端部寄りの部位で支持することができる係合機構とで目地カバー装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介して設けられた左右の建物３、３等の壁躯体４、４Ａ間を覆う通路としての本発明の目地カバー装置で、この目地カバー装置１は前記左右の建物３、３等の一方の目地部側の壁躯体４に前記目地部２の間隔のほぼ半分を覆うように突出状態に設けられた支持床５と、この支持床５の床面にスライド移動可能に取付けられた複数個の可動目地プレート６と、前記支持床５の反目地部側の床面部位に後端部が上下移動可能に支持された、前記可動目地プレート６のスライド移動を可能に覆う複数個の可動側目地プレート７と、この可動側目地プレート７の遊端部を先端部が当接あるいはわずかな隙間を有して支持する前記左右の建物３、３等の他方の目地部側の壁躯体４Ａに突出するように設けられた固定側目地プレート８と、前記左右の建物３、３等が地震等によって目地部２が狭くなるように揺れ動いた場合に、前記可動側目地プレート７の遊端部を自動的に押し上げ、移動させる傾斜面を用いた移動機構９と、前記目地部２が狭くなるように揺れ動いた場合、前記可動目地プレート６と固定側目地プレート８との係合状態を解除し、該目地部２が広くなるように揺れ動いた場合、該可動目地プレート６を係合状態で該目地部２を覆うように引き出すと同時に、支持することができる係止片および係合片を用いた係合機構１０とで構成されている。
【０００９】
前記支持床５は図２に示すように、反目地部側の床面部位に所定間隔で上方に突出するように固定された筒状の複数個の軸受部材１１と、この複数個の軸受部材１１に近傍の床面部位に長手方向に所定間隔に形成された上方へ突出する複数個の一方のストッパー片１２と、この一方のストッパー片１２に近傍の床面部位に長手方向に所定間隔に形成された山形状の複数個の突起１３と、目地部側の前記支持床５の床面端部部位に長手方向に所定間隔に形成された上方へ突出する複数個の他方のストッパー片１４とで構成されている。
【００１０】
前記可動目地プレート６は図４に示すように、反目地部側に位置する一端部の下部に、通常時には前記一方のストッパー片１２と突起１３との間に位置するローラ１５、１５が回動可能に備えられた金属角パイプ材製の２本の支持バー１６、１６と、この２本の支持バー１６、１６の上面を覆うように溶接や皿ビス等によって固定された金属材製のカバー板１７とで構成されている。
【００１１】
前記可動側目地プレート７は図５に示すように、遊端部に移動機構９の傾斜面１８が形成された、前記可動目地プレート６のスライド移動を可能に覆う上面が前記固定側目地プレート８とほぼ同一面になるようにモルタルやコンクリート等を介してタイル等が設置された皿状の金属材製の可動側目地プレート本体１９と、この可動側目地プレート本体１９の底面の後端部部位に所定間隔に取付けられた前記軸受部材１１のそれぞれに上下移動可能に支持される棒状の支持ピン２０、２０、２０と、前記可動側目地プレート本体の遊端部の底面部位に取付けられた少なくとも１個の、本実施の形態では２個のガイドローラ２１、２１とで構成されている。
【００１２】
前記固定側目地プレート８は図２に示すように、目地部側の先端部に前記傾斜面１８と対応する移動機構９の傾斜面２２が形成され、目地部２が狭くなるように揺れ動いた場合、該傾斜面２２は前記傾斜面１８と当接して上方へ押し上げることができるように前記左右の建物３、３等の他方の壁躯体４Ａに設けられる。
【００１３】
前記係合機構１０は図２および図３に示すように、前記可動目地プレート６の目地部側の両側端部内壁面部位に内方に突出するように形成された先端部に突起状の一方の係止片２３を有するほぼＬ字状の一方の係合片２４と、この係合片２４と常時は係合状態で前記可動目地プレート６を両側面から支持できるように対向し、前記固定側目地プレート８の底面の先端部寄り部位に取付けられた下方に突出する先端部に突起状の他方の係止片２５を有するほぼＪ字状の他方の係合片２６とで構成されている。
【００１４】
上記構成の目地カバー装置１は地震等によって目地部２の間隔が広くなるような揺れ動きが生じた場合、図６に示すように可動目地プレート６は固定側目地プレート８と係合状態で支持されたまま可動目地プレート６の端部のローラ１５が支持床５上を目地部側へスライド移動することにより、目地部側に引き出されるようにスライド移動して、その揺れ動きを吸収する。
また、目地部２が狭くなるような揺れ動きが生じた場合、図７に示すように可動目地プレート６が軸受部材に当接することによって、固定側目地プレート８との係合状態が解除されるとともに、固定側目地プレート８が可動目地プレート６を支持した状態で反目地部側へスライド移動すると同時に、固定側目地プレート８の先端部の傾斜面２２が可動側目地プレート７の遊端部の傾斜面１８を押し上げるとともに、可動側目地プレート７と固定側目地プレート８とが重なり合うようにスライド移動して、その揺れ動きを吸収する。
この後、目地部が通常の状態に戻る時には、可動目地プレート６のローラ１５が一方のストッパー片１２と突起１３との間に嵌まり込んで、ローラ１５が突起１３をストッパーにして係止状態になると同時に、一方および他方の係合片２４、２６が係合状態に戻る。
さらに、左右の建物３、３等が異なる前後方向に揺れ動いた場合、図８に示すように可動目地プレート６の端部のローラ１５が支持床５上を前後方向にスライド移動して、その揺れ動きを吸収する。
【００１５】
【発明の異なる実施の形態】
次に、図９ないし図４６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図９ないし図１２に示す本発明の第２の実施の形態において、前記本発明の第１の実施の形態と主に異なる点は、それぞれの可動目地プレート６の両側部をスライド移動可能に支持することができるように、固定側目地プレート８の底面部位に取付けられた一方の係合片と係合することができる目地部側の先端部寄り部位に他方の係止片２５を有するレール状の他方の係合片２６Ａを用いた係合機構１０Ａを用いた点で、このように形成された係合機構１０Ａを用いて構成した目地カバー装置１Ａにしても、前記本発明の第１の実施の形態と同様な作用効果が得られる。
【００１７】
図１３ないし図１５に示す本発明の第３の実施の形態において、前記本発明の第２の実施の形態と主に異なる点は、反目地部側に位置する両側面先端寄りの部位の内壁面部位にローラ１５、１５が備えられた断面コ字状の金属材製のカバー板１７Ａとからなる可動目地プレート６Ａを用いた点で、このように形成された可動目地プレート６Ａを用いて構成した目地カバー装置１Ｂにしても、前記本発明の第２の実施の形態と同様な作用効果が得られる。
【００１８】
図１６ないし図１９に示す本発明の第４の実施の形態において、前記本発明の第１の実施の形態と主に異なる点は、固定側目地プレート８の底面の目地部側の端部寄り部位に長手方向に取付けられた先端部に他方の係止片２５を有するＬ字状の他方の係合片２６Ｂと、この他方の係合片２６Ｂと常時は係合状態で可動目地プレート６を支持することができるように、該可動目地プレート６のカバー板１７の上面の目地部側端部寄り部位に取付けられた先端部に前記他方の係合片２６Ｂ内に係止されるように形成された一方の係止片２３を有するＬ字状の一方の係合片２４Ａとからなる係合機構１０Ｂを用いた点で、このように形成された係合機構１０Ｂを用いて構成した目地カバー装置１Ｃにしても、前記本発明の第１の実施の形態と同様な作用効果が得られる。
【００１９】
図２０ないし図２２に示す本発明の第５の実施の形態において、前記本発明の第１の実施の形態と主に異なる点は、固定側目地プレート８の先端部部位に目地凹部２７を形成することができる押し上げ片２８を用いた移動機構９Ａを用いた点で、このように形成された移動機構９Ａを用いて構成した目地カバー装置１Ｄにしても、前記本発明の第１の実施の形態と同様な作用効果が得られる。
【００２０】
図２３ないし図２５に示す本発明の第６の実施の形態において、前記本発明の第４の実施の形態と主に異なる点は、支持床５の床面端部部位に取付けられたローラあるいは下部が半球状等のスベリ支承、本実施の形態ではローラである他方のストッパー片１４Ａと、他方の係合片２６Ｂと、一方の係合片２４Ａと、一端が可動目地プレート６Ｂの目地部側部位に下方に突出するように形成された取付け片２９ａ、２９ａに係止され、他端が一方の建物３の壁躯体４に係止された該可動目地プレートを常時反目地部側へ付勢する付勢スプリング２９、２９とからなる係合機構１０Ｃを用いた点で、このように形成された係合機構１０Ｃを用いて構成した目地カバー装置１Ｅにしても、前記本発明の第４の実施の形態と同様な作用効果が得られる。
なお、本実施の形態では左右方向にスライド移動することができるように、ストッパー片としてのローラを用いたものについて説明したが、本実施の形態ではこれに限らず、固定的に取付けられたストッパー片１４を用いてもよい。
【００２１】
図２６ないし図３２に示す本発明の第７の実施の形態において、前記本発明の第１の実施の形態と主に異なる点は、上面にタイルや化粧板３０が設置され、目地部側の端部部位に凹部３１が形成された床躯体３２に一体的に設けられた目地部２のほぼ半分を覆う一方の支持床３３および他方の建物３の壁躯体４に一体的に設けられた該目地部のほぼ半分を覆う他方の支持床３４と、この一方および他方の支持床３３、３４の床面上にスライド移動可能に設けられたＬ字状の金属材製のカバー板１７Ｂ、このカバー板１７Ｂの側面部の内壁面部位に枠形状で溶接あるいは複数本のビス等で固定された補強バー４３、この補強バー４３の下面に回動可能に取付けられた台車ローラ４４、４４を有する２個の台車４５、４５とからなる可動目地プレート６Ｃと、この可動目地プレート６Ｃを覆うように後端部の底面部位に取付けられたボルトや固定ピン３５によって前記凹部３１内に固定され、先端部に傾斜面３６が形成された皿状の金属材製の固定側目地プレート本体３７、この固定側目地プレート本体３７の内部３８内にモルタルやコンクリート３９を介して取付けられた前記床躯体３２に設置されたタイルや化粧板３０と同様なタイルや化粧板３０とからなる固定側目地プレート８Ａと、他方の建物３の壁躯体４に形成された他方の凹部４０内にピン挿入孔４１を形成し、該ピン挿入孔４１に上下移動可能に挿入される支持ピン２０が後端部の底面部位に形成され、遊端部に傾斜面１８が形成された皿状の金属材製の可動側目地プレート本体１９、この可動側目地プレート本体１９の内部４２内にモルタルやコンクリート３９を介して取付けられた前記固定側目地プレート８Ａに設置されたタイルや化粧板３０と同様に設置されたタイルや化粧板３０とからなる可動側目地プレート７Ａと、前記一方の支持床３３の目地部側の先端部に上方に突出するように形成された一方の係合片２４Ｃ、前記他方の支持床３４の目地部側の先端部に上方に突出するように形成された他方の係合片２５Ａとからなる係合機構１０Ｄとを用いた点で、このように構成された目地カバー装置１Ｆにしても前記本発明の第１の実施の形態と同様な作用効果が得られる。
なお、本実施の形態では、前後左右方向にスライド移動することができる可動目地プレートについて説明したが、本実施の形態ではこれに限らず、左右方向にスライド移動することができるように、固定的にローラが取付けられた可動目地プレートを用いてもよい。
【００２２】
図３３ないし図３７に示す本発明の第８の実施の形態において、前記本発明の第７の実施の形態と主に異なる点は、可動側目地プレート７Ｂには固定側目地プレート８Ａの傾斜面３６をスライド移動する先端下部に移動機構９の傾斜あるいは移動凹部、本発明の実施の形態では移動機構９Ｂの移動凹部４６に形成され、先端部にヒンジ部材４７、４７を介して上下方向に回動するように取付けられたステップ板４８とを用いた点で、このように構成した目地カバー装置１Ｇにしても前記本発明の第１の実施の形態と同様な作用効果が得られる。
【００２３】
図３８ないし図４３に示す本発明の第９の実施の形態において、前記本発明の第７の実施の形態と主に異なる点は、一方の支持床３３とほぼ同一の高さ寸法で他方の建物３の壁躯体４に取付けられた他方の支持床３４と、この他方の支持床３４の上方の壁躯体部位に設けられた固定部材４９に固定的に取付けられた固定側目地プレート８Ａと、両端部に形成された移動機構の傾斜面５０、５０がそれぞれの固定側目地プレート８Ａに支持される皿状の金属材製の可動側目地プレート本体１９Ａ、この可動側目地プレート本体１９Ａのほぼ中央部の底面部位に固定的あるいは回転可能に取付けられた支持杆５１とからなる可動側目地プレート７Ｄと、この可動側目地プレート７Ｄの支持杆５１が係合状態で挿入され、前記可動側目地プレート７Ｄを支持することができる挿入孔５２が上面のほぼ中央部に形成された断面コ字状の金属材製のカバー板１７Ｃ、このカバー板１７Ｃの両側面の内側面部位に枠形状で溶接あるいは複数本のビス等で固定された両端部にローラ１５を有する補強バー４３とからなる可動目地プレート６Ｄとを用いた点で、このように構成した目地カバー装置１Ｈにしても、前記本発明の第７の実施の形態と同様な作用効果が得られる。
【００２４】
図４４ないし図４６に示す本発明の第１０の実施の形態において、前記本発明の第７の実施の形態と主に異なる点は、他方の建物３の壁躯体４にボルト５３を用いて固定的に取付けられた目地部２のほぼ半分を覆う底面に支持バー部材５４有する他方の支持床３４Ａを用いた点で、このように構成した目地カバー装置１Ｉにしても前記本発明の第１の実施の形態と同様な作用効果が得られるとともに、他方の支持床３４Ａを設置条件に合わせて所定の位置に取付けることができる。
【００２５】
なお、本発明の各実施の形態で用いられる可動目地プレートや可動側目地プレートにはローラを用いたものについて説明したが、本発明はこれに限らず、ローラに代わって下部が半球状等のスベリ支承を設けて、前後左右方向にスライド移動できるようにしてもよい。
【００２６】
【発明の効果】
以上の説明から明らかなように、本発明にあっては次に列挙する効果が得られる。
【００２７】
（１）目地部を介して建てられた左右の建物等の一方の建物の壁躯体に取付けられた該目地部のほぼ半分を覆う支持床と、この支持床の床面にスライド移動可能に取付けられた前記目地部を覆うことができる可動目地プレートと、この可動目地プレートを覆うように、前記支持床の反目地部側部位で後端部が上下移動可能に支持された可動側目地プレートと、この可動側目地プレートの遊端部を先端部が当接あるいはわずかな隙間を有して支持することができるように、前記左右の建物等の他方の建物の壁躯体に設けられた固定側目地プレートと、前記左右の建物が地震等によって前記目地部が狭くなるように揺れ動いた場合に、前記可動側目地プレートの遊端部を自動的に押し上げ移動させる移動機構と、前記目地部が狭くなった場合には、前記可動目地プレートと固定側目地プレートとの係合状態を解除し、該目地部が広くなった場合には、該可動目地プレートを係合状態で該目地部を覆うように引き出すと同時に、該固定側目地プレートとの先端部寄りの部位で支持することができる係合機構とで構成されているので、常時には可動側目地プレートと固定側目地プレートとで上面がほぼ同一面で隙間のない状態に覆うことができる。
したがって、美観の向上を図るとともに、左右の建物の狭い壁間でも確実に目地部を覆うことができ、通路として効率よく使用することができる。
【００２８】
（２）前記（１）によって、地震等によって目地部が狭くなるように揺れ動いた場合には、可動側目地プレートと固定側目地プレートとが重なり合って、その揺れ動きを吸収することができる。
【００２９】
（３）前記（１）によって、目地部が広くなるように揺れ動いた場合には、支持床上を可動目地プレートの遊端部がスライド移動して、その揺れ動きを吸収することができる。
【００３０】
（４）前記（１）によって、可動目地プレートの後端部は固定側目地プレートに支持されているので、左右の建物等が異なる前後方向に揺れ動いても、その揺れ動きを吸収することができる。
【００３１】
（５）請求項２および３も前記（１）〜（４）と同様な効果が得られる。
【図面の簡単な説明】
【図１】本発明の第１の実施の形態の平面図。
【図２】図１の２−２線に沿う拡大断面図。
【図３】図１の３−３線に沿う拡大断面図。
【図４】本発明の第１の実施の形態の可動目地プレートの説明図。
【図５】本発明の第１の実施の形態の可動側目地プレートの説明図。
【図６】目地部が広くなった場合の動作説明図。
【図７】目地部が狭くなった場合の動作説明図。
【図８】前後方向に揺れ動いた場合の動作説明図。
【図９】本発明の第２の実施の形態の平面図。
【図１０】図９の１０−１０線に沿う拡大断面図。
【図１１】図９の１１−１１線に沿う拡大断面図。
【図１２】本発明の第２の実施の形態の他方の係合片の説明図。
【図１３】本発明の第３の実施の形態の平面図。
【図１４】図１３の１４−１４線に沿う拡大断面図。
【図１５】本発明の第３の実施の形態の可動目地プレートの説明図。
【図１６】本発明の第４の実施の形態の平面図。
【図１７】図１６の１７−１７線に沿う拡大断面図。
【図１８】本発明の第４の実施の形態の一方および他方の係合片の説明図。
【図１９】前後方向に揺れ動いた場合の動作説明図。
【図２０】本発明の第５の実施の形態の平面図。
【図２１】図２０の２１−２１線に沿う拡大断面図。
【図２２】本発明の第５の実施の形態の固定側目地プレートの説明図。
【図２３】本発明の第６の実施の形態の平面図。
【図２４】図２３の２４−２４線に沿う拡大断面図。
【図２５】本発明の第６の実施の形態の可動目地プレートの説明図。
【図２６】本発明の第７の実施の形態の平面図。
【図２７】図２６の２７−２７線に沿う拡大断面図。
【図２８】本発明の第７の実施の形態の可動目地プレートの説明図。
【図２９】本発明の第７の実施の形態の可動側目地プレートの説明図。
【図３０】本発明の第７の実施の形態の固定側目地プレートの説明図。
【図３１】目地部が広くなった場合の動作説明図。
【図３２】目地部が狭くなった場合の動作説明図。
【図３３】本発明の第８の実施の形態の平面図。
【図３４】図３３の３４−３４線に沿う拡大断面図。
【図３５】本発明の第８の実施の形態の可動側目地プレートの説明図。
【図３６】目地部が広くなった場合の動作説明図。
【図３７】目地部が狭くなった場合の動作説明図。
【図３８】本発明の第９の実施の形態の平面図。
【図３９】図３８の３９−３９線に沿う拡大断面図。
【図４０】本発明の第９の実施の形態の可動側目地プレートの説明図。
【図４１】本発明の第９の実施の形態の可動目地プレートの説明図。
【図４２】目地部が広くなった場合の動作説明図。
【図４３】目地部が狭くなった場合の動作説明図。
【図４４】本発明の第１０の実施の形態の平面図。
【図４５】図４４の４５−４５線に沿う拡大断面図。
【図４６】本発明の第１０の実施の形態の固定側目地プレートの説明図。
【符号の説明】
１、１Ａ〜１Ｉ：目地カバー装置、
２：目地部、            ３：建物、
４：壁躯体、            ５：支持床、
６、６Ａ〜６Ｄ：可動目地プレート、
７、７Ａ〜７Ｄ：可動側目地プレート、
８、８Ａ：固定側目地プレート、
９、９Ａ：移動機構、
１０、１０Ａ〜１０Ｄ：係合機構、
１１：軸受部材、            １２：一方のストッパー片、
１３：突起、                １４、１４Ａ：他方のストッパー片、
１５：ローラ、              １６：支持バー、
１７、１７Ａ、１７Ｂ、１７Ｃ：カバー板、
１８：傾斜面、
１９、１９Ａ：可動側目地プレート本体、
２０：支持ピン、            ２１：ガイドローラ、
２２：傾斜面、              ２３：一方の係止片、
２４、２４Ａ、２４Ｂ、２４Ｃ：一方の係合片、
２５：他方の係止片、
２６、２６Ａ、２６Ｂ、２６Ｃ：他方の係合片、
２７：目地凹部、            ２８：押し上げ片、
２９：付勢スプリング、      ３０：タイルや化粧板
３１：凹部、                ３２：床躯体、
３３：一方の支持床、        ３４、３４Ａ：他方の支持床、
３５：ボルトや固定ピン、    ３６：傾斜面、
３７：固定側目地プレート本体、
３８：内部                  ３９：モルタルやコンクリート、
４０：他方の凹部、          ４１：ピン挿入孔、
４２：内部、                ４３：補強バー、
４４：台車ローラ、          ４５：台車、
４６：移動凹部、            ４７：ヒンジ部材、
４８：ステップ板、          ４９：固定部材、
５０：傾斜面、              ５１：支持杆、
５２：挿入孔、              ５３：ボルト。
【図１】
0003719643.tif 000002
【図２】
0003719643.tif 000003
【図３】
0003719643.tif 000004
【図４】
0003719643.tif 000005
【図５】
0003719643.tif 000006
【図６】
0003719643.tif 000007
【図７】
0003719643.tif 000008
【図８】
0003719643.tif 000009
【図９】
0003719643.tif 000010
【図１０】
0003719643.tif 000011
【図１１】
0003719643.tif 000012
【図１２】
0003719643.tif 000013
【図１３】
0003719643.tif 000014
【図１４】
0003719643.tif 000015
【図１５】
0003719643.tif 000016
【図１６】
0003719643.tif 000017
【図１７】
0003719643.tif 000018
【図１８】
0003719643.tif 000019
【図１９】
0003719643.tif 000020
【図２０】
0003719643.tif 000021
【図２１】
0003719643.tif 000022
【図２２】
0003719643.tif 000023
【図２３】
0003719643.tif 000024
【図２４】
0003719643.tif 000025
【図２５】
0003719643.tif 000026
【図２６】
0003719643.tif 000027
【図２７】
0003719643.tif 000028
【図２８】
0003719643.tif 000029
【図２９】
0003719643.tif 000030
【図３０】
0003719643.tif 000031
【図３１】
0003719643.tif 000032
【図３２】
0003719643.tif 000033
【図３３】
0003719643.tif 000034
【図３４】
0003719643.tif 000035
【図３５】
0003719643.tif 000036
【図３６】
0003719643.tif 000037
【図３７】
0003719643.tif 000038
【図３８】
0003719643.tif 000039
【図３９】
0003719643.tif 000040
【図４０】
0003719643.tif 000041
【図４１】
0003719643.tif 000042
【図４２】
0003719643.tif 000043
【図４３】
0003719643.tif 000044
【図４４】
0003719643.tif 000045
【図４５】
0003719643.tif 000046
【図４６】
0003719643.tif 000047